(57)【要約】【課題】部材を共通化して様々な形態の軸組みを構成する。【解決手段】柱１の上下方向の端面部に接続金物３を取付ける。該接続金物３として平面視においてＬ状に交差する２方向に梁連結片４を突出した第１の接続金物３ａと、平面視においてＴ状に交差する３方向に梁連結片４を突出した第２の接続金物３ｂとを備える。平面視で梁２がＬ状に交差する部分においては柱１の上下方向の端部に第１の接続金物３ａを取付けると共に第１の接続金物３ａの平面視においてＬ状に交差する２方向に突出した各梁連結片４にそれぞれＬ状に交差する梁２の端部を接続する。平面視で梁２がＴ状に交差する部分においては柱１の上下方向の端部に第２の接続金物３ｂを取付けると共に第２の接続金物３ｂの平面視においてＴ状に交差する３方向に突出した各梁連結片４にそれぞれＴ状に交差する梁２の端部を接続する。【選択図】　　　　図１
2004027591.tif 000002
【特許請求の範囲】
【請求項１】
複数の柱と複数の梁とを接続して構成する軸組み構造であって、柱の上下方向の端面部に接続金物を取付け、該接続金物として平面視においてＬ状に交差する２方向に梁連結片を突出した第１の接続金物と、平面視においてＴ状に交差する３方向に梁連結片を突出した第２の接続金物とを備え、平面視で梁がＬ状に交差する部分においては柱の上下方向の端部に第１の接続金物を取付けると共に第１の接続金物の平面視においてＬ状に交差する２方向に突出した各梁連結片にそれぞれＬ状に交差する各梁の端部を接続し、平面視で梁がＴ状に交差する部分においては柱の上下方向の端部に第２の接続金物を取付けると共に第２の接続金物の平面視においてＴ状に交差する３方向に突出した各梁連結片にそれぞれＴ状に交差する各梁の端部を接続して成ることを特徴とする軸組み構造。
【請求項２】
複数の柱と複数の梁とを接続して構成する軸組み構造であって、柱の上下方向の端面部に接続金物を取付け、該接続金物として平面視においてＬ状に交差する２方向に梁連結片を突出した第１の接続金物と、平面視においてＴ状に交差する３方向に梁連結片を突出した第２の接続金物と、平面視において十字状に交差する４方向に梁連結片を突出した第２の接続金物とを備え、平面視で梁がＬ状に交差する部分においては柱の上下方向の端部に第１の接続金物を取付けると共に第１の接続金物の平面視においてＬ状に交差する２方向に突出した各梁連結片にそれぞれＬ状に交差する各梁の端部を接続し、平面視で梁がＴ状に交差する部分においては柱の上下方向の端部に第２の接続金物を取付けると共に第２の接続金物の平面視においてＴ状に交差する３方向に突出した各梁連結片にそれぞれＴ状に交差する各梁の端部を接続し、平面視で梁が十字状に交差する部分においては柱の上下方向の端部に第３の接続金物を取付けると共に第３の接続金物の平面視において十字状に交差する４方向に突出した各梁連結片にそれぞれ十字状に交差する各梁の端部を接続して成ることを特徴とする軸組み構造。
【請求項３】
上下に対向する水平な柱固定片間に複数の垂直片を固着して接続金物を構成し、上記複数の垂直片を隣合う垂直片同士のなす角度が直角となり且つ垂直片同士のなす交差部分が柱の中心となるような位置関係とし、該接続金物の垂直片の先端部から柱固定片より外方に梁連結片を突出し、該梁連結片を垂直片と平行で且つ平面視で該垂直片と直交する方向に梁のウェブ部の肉厚分だけずらし、梁のウェブ部の側面の長手方向端部に梁連結片を重ねて固着すると共に垂直片の延長線上に梁のウェブ部を位置させて成ることを特徴とする請求項１又は請求項２記載の軸組み構造。
【請求項４】
接続金物の梁連結片の側面に梁のウェブ部の側面の長手方向の端部を重ねてボルトにより接続するものであって、梁連結片に仮止め用のボルトを該ボルトの頭部と梁連結片との間に小隙間を有するように仮取付けし、梁のウェブ部の端部に小径孔と大径孔とが上下に連通するだるま孔を設け、該だるま孔の大径孔を仮止め用のボルトの頭部よりも大径とすると共に小径孔を仮止め用のボルトの頭部よりも小径で且つ仮止め用ボルトの軸部よりも大径とし、だるま孔の小径孔に仮止め用のボルトの軸部を挿通すると共に頭部をウェブ部の外側に突出させてウェブ部の側面を梁連結片の側面に重ね、仮止め用のボルトとは別の本固定用のボルトによりウェブ部と梁連結片とを固着して成ることを特徴とする請求項１乃至請求項３のいずれかに記載の軸組み構造。
【発明の詳細な説明】
【０００１】
【発明の属する技術分野】
本発明は、複数の柱と複数の梁とを接続して構成する軸組み構造に関するものである。
【０００２】
【従来の技術】
従来から複数の柱と複数の梁とを接続して構成する軸組み構造として、図１１に示すようなものが知られている。図１１に示すものは角形鋼管よりなる柱１の内面の４面に補強板３０を配設してボルト３２により取付け、この柱１の外面の補強板３０に対応した部位に接合金物３１をボルト３２により取り付け、接合金物３１に梁２の上下フランジ部２ｂの端部をボルト３２により取付け、このようにして複数の柱１と複数の梁２とを接続して軸組み構造を形成するようになっている。
【０００３】
ところで、複数の柱１と複数の梁２とを接続して構成する軸組み構造においては、柱１と梁２とを接続するに当たって、柱１位置で梁２が平面視でＬ状に交差する箇所と、Ｔ状に交差する箇所とを備えた軸組み構造、あるいは柱１と梁２とを接続するに当たって、柱１位置で梁２が平面視でＬ状に交差する箇所と、Ｔ状に交差する箇所と、十字状に交差する箇所とを備えた軸組み構造とがある。
【０００４】
ところが、上記のような従来例にあっては、梁２が平面視でＬ状に交差する箇所、Ｔ状に交差する箇所、十字状に交差する箇所のいずれに位置する柱１であっても、柱１を共通化するために柱１の４面に補強板３０をボルト３２で取付けるための孔を設けて、該孔を利用して柱１の内面の４面に補強板３０を配設して取付けていた。ところが、柱１の内面の４面に補強板３０を設けるのは梁２が十字状に交差する箇所に使用するためのものであり、梁２が平面視でＬ状に交差する箇所、Ｔ状に交差する箇所においては３面又は２面に孔を設けてそれぞれ３面又は２面にだけ上記のように孔を設けて補強板３０を取付ければよいが、これだと柱１として３種類の柱１が必要で柱１の共通化が図れないので、上記のように、柱１の４面に補強板３０取付け用の孔を設けて、該孔を利用して柱１の内面の４面に上記のように補強板３０を配設していた。
【０００５】
このため、従来にあっては、梁２が平面視でＬ状に交差する箇所、Ｔ状に交差する箇所においては必要でない側面にも孔や補強板３０があるという問題があった。
【０００６】
しかも、補強板３０を柱１の内面に配設して取付けるのは作業がきわめて面倒であった。
【０００７】
更に、従来にあっては、柱１の側面に接合金物３１を取付けるので、梁２からの荷重は柱１の一側面に伝わって基礎へと伝達されるものであり、柱１に偏芯荷重がかかることとなる。このため、上記偏芯荷重を考慮して構造計算をしなければならず、構造計算が複雑となり、また、柱１に偏芯荷重がかかるため、柱１の肉厚を大きくして上記偏芯荷重に耐えるようにする必要があって、コストが高くなり、また、柱１の重量が重くなって施工性が悪くなるという問題がある。
【０００８】
更に、従来にあっては、柱１の側面に取付けた接合金物３１上に梁２の端部を載置した状態でボルト３２により固定するのであるが、位置決めがしにくく、また、ボルト３２により固定するまでの間は接合金物３１上に載っているとはいえ横に滑り落ちる危険があるので、クレーンにより吊ったままの状態でボルトによる固定作業を行う必要があって、作業性が悪いという問題がある。
【０００９】
【発明が解決しようとする課題】
本発明は上記の点に鑑みてなされたものであり、部材を共通化して様々な形態の軸組みを構成することができ、しかも、簡単な構成で梁からの荷重を柱の中心にスムーズに流すことができ、更に、梁の取付けに当たって梁を仮止めして位置決めした状態でボルトによる本固定ができて、作業性を向上することができる軸組み構造を提供することを課題とするものである。
【００１０】
【課題を解決するための手段】
上記課題を解決するために本発明に係る軸組み構造は、複数の柱１と複数の梁２とを接続して構成する軸組み構造であって、柱１の上下方向の端面部に接続金物３を取付け、該接続金物３として平面視においてＬ状に交差する２方向に梁連結片４を突出した第１の接続金物３ａと、平面視においてＴ状に交差する３方向に梁連結片４を突出した第２の接続金物３ｂとを備え、平面視で梁２がＬ状に交差する部分においては柱１の上下方向の端部に第１の接続金物３ａを取付けると共に第１の接続金物３ａの平面視においてＬ状に交差する２方向に突出した各梁連結片４にそれぞれＬ状に交差する各梁２の端部を接続し、平面視で梁２がＴ状に交差する部分においては柱１の上下方向の端部に第２の接続金物３ｂを取付けると共に第２の接続金物３ｂの平面視においてＴ状に交差する３方向に突出した各梁連結片４にそれぞれＴ状に交差する各梁２の端部を接続して成ることを特徴とするものである。このような構成とすることで、共通の柱１を使用し、この共通の柱１の上下方向の端部に第１の接続金物３ａ、第２の接続金物３ｂを選択的に取付け、それぞれの接続金物３の梁連結片４に各梁２の端部を接続することで、部材を共通化して種々の形態の軸組みを簡単に構成することができるものである。
【００１１】
また、複数の柱１と複数の梁２とを接続して構成する軸組み構造であって、柱１の上下方向の端面部に接続金物３を取付け、該接続金物３として平面視においてＬ状に交差する２方向に梁連結片４を突出した第１の接続金物３ａと、平面視においてＴ状に交差する３方向に梁連結片４を突出した第２の接続金物３ｂと、平面視において十字状に交差する４方向に梁連結片４を突出した第２の接続金物３ｂとを備え、平面視で梁２がＬ状に交差する部分においては柱１の上下方向の端部に第１の接続金物３ａを取付けると共に第１の接続金物３ａの平面視においてＬ状に交差する２方向に突出した各梁連結片４にそれぞれＬ状に交差する各梁２の端部を接続し、平面視で梁２がＴ状に交差する部分においては柱１の上下方向の端部に第２の接続金物３ｂを取付けると共に第２の接続金物３ｂの平面視においてＴ状に交差する３方向に突出した各梁連結片４にそれぞれＴ状に交差する各梁２の端部を接続し、平面視で梁２が十字状に交差する部分においては柱１の上下方向の端部に第３の接続金物３ｃを取付けると共に第３の接続金物３ｃの平面視において十字状に交差する４方向に突出した各梁連結片４にそれぞれ十字状に交差する各梁２の端部を接続して成ることを特徴とするものであってもよい。共通の柱１を使用し、この共通の柱１の上下方向の端部に第１の接続金物３ａ、第２の接続金物３ｂ、第３の接続金物３ｃを選択的に取付け、それぞれの接続金物３の梁連結片４に各梁２の端部を接続することで、部材を共通化して種々の形態の軸組みを簡単に構成することができるものである。
【００１２】
また、上下に対向する水平な柱固定片５間に複数の垂直片６を固着して接続金物３を構成し、上記複数の垂直片６を隣合う垂直片６同士のなす角度が直角となり且つ垂直片６同士のなす交差部分が柱１の中心となるような位置関係とし、該接続金物３の垂直片６の先端部から柱固定片５より外方に梁連結片４を突出し、該梁連結片４を垂直片６と平行で且つ平面視で該垂直片６と直交する方向に梁２のウェブ部２ａの肉厚分だけずらし、梁２のウェブ部２ａの側面の長手方向端部に梁連結片４を重ねて固着すると共に垂直片６の延長線上に梁２のウェブ部２ａを位置させることが好ましい。このような構成とすることで、梁２のウェブ部２ａの側面を梁連結片４の側面に重ねて取付けることで、梁２のウェブ部２ａを垂直線６の延長線上に位置させて正規の位置に位置決めして簡単に取付けることができ、また、梁２からの荷重は垂直片６同士の交差部分から柱１の中心に流れて基礎に伝達されるものであり、柱１に偏芯荷重がかからないようにできるものである。
【００１３】
また、接続金物３の梁連結片４の側面に梁２のウェブ部２ａの側面の長手方向の端部を重ねてボルト７により接続するものであって、梁連結片４に仮止め用のボルト７ｂを該ボルト７ｂの頭部８と梁連結片４との間に小隙間を有するように仮取付けし、梁２のウェブ部２ａの端部に小径孔９ａと大径孔９ｂとが上下に連通するだるま孔９を設け、該だるま孔９の大径孔９ｂを仮止め用のボルト７ｂの頭部８よりも大径とすると共に小径孔９ａを仮止め用のボルト７ｂの頭部８よりも小径で且つ仮止め用ボルト７ｂの軸部１０よりも大径とし、だるま孔９の小径孔９ａに仮止め用のボルト７ｂの軸部１０を挿通すると共に頭部８をウェブ部２ａの外側に突出させてウェブ部２ａの側面を梁連結片４の側面に重ね、仮止め用のボルト７ｂとは別の本固定用のボルト７ａによりウェブ部２ａと梁連結片４とを固着することが好ましい。このような構成とすることで、梁２を取付けるにあたっては、梁２をクレーンで吊って対向する梁連結片４間に位置させ、だるま孔９の大径孔９ｂから仮止め用ボルト７ｂの頭部８を挿通させ、この状態で梁２を少し下げて軸部１０を小径孔９ａに嵌め込むと共に頭部８をウェブ部２ａの外側に突出させることで、梁２を対向する梁連結片４間に仮取付けできるものであり、この状態でクレーンによる吊り下げを止めても梁２は所定位置に位置決めされた状態で外れず、その後、ボルト７ａにより簡単に本固定作業ができるものである。
【００１４】
【発明の実施の形態】
以下、本発明を添付図面に示す実施形態に基づいて説明する。
【００１５】
軸組みを構成するための柱１は金属製であって角筒状をしており、柱１の上下方向の端部には端部プレート１１が固着してあり、端部プレート１１にはナット部１２が設けてある。このナット部１２としては端部プレート１１にナットを溶接してナット部１２としてもよく、あるいは端部プレート１１にタップを切ってナット部１２を形成してもよい。
【００１６】
梁２は金属製で断面Ｈ字状をしており、ウェブ部２ａの長手方向の端部に本固定用の孔１３と、仮止め用のだるま孔９とが設けてある。だるま孔９は上に位置する小径孔９ａの下端部に下に位置する大径孔９ｂの上端部を上下に連通して構成してある。
【００１７】
複数の柱１と複数の梁２とを接続して軸組みを構成するに当たって、本発明において、柱１の上下方向の端面部に接続金物３を取付け、この接続金物３に梁２の端部を取付けるようになっている。
【００１８】
本発明に用いる接続金物３は、図６に示すような平面視においてＬ状に交差する２方向に梁連結片４を突出した第１の接続金物３ａと、図７に示すような平面視においてＴ状に交差する３方向に梁連結片４を突出した第２の接続金物３ｂと、図８に示すような平面視において十字状に交差する４方向に梁連結片４を突出した第３の接続金物３ｃとの３種類がある。
【００１９】
ここで、接続金物３は図６乃至図８に示すように、上下に対向する水平な柱固定片５間に複数の垂直片６を固着して主体が構成してあり、複数の垂直片６は隣合う垂直片６同士のなす角度が直角となり且つ垂直片６同士のなす交差部分が柱１の中心となるような位置関係となっており、添付図面に示す実施形態においては複数の垂直片６が平面視十字状をしていて、十字状の中心が平面視における柱固定片５の中心と一致し、該接続金物３の柱固定片５を柱１の上下方向の端部に固着した状態で上記垂直片６同士のなす交差部分である十字状の中心が柱１の平面視における中心と一致するようになっている。そして、接続金物３の十字状に交差した垂直片６の先端部から柱固定片５より外方に梁連結片４を突出してある。
【００２０】
すなわち、第１の接続金物３ａにおいては図６に示すように、４つの垂直片６のうち直角に隣合う２つの垂直片６の先端部から柱固定片５より外方に梁連結片４を突出し、この２つの梁連結片４は平面視においてＬ状に交差する２方向に突出している。
【００２１】
第２の接続金物３ｂにおいては図７に示すように、４つの垂直片６のうち直角に隣合う３つの垂直片６の先端部から柱固定片５より外方に梁連結片４を突出し、この３つの梁連結片４は平面視においてＴ状に交差する３方向に突出している。
【００２２】
また、第３の接続金物３ｃにおいては図８に示すように、４つの垂直片６の各先端部から柱固定片５より外方に梁連結片４を突出し、この４つの梁連結片４は平面視において十字に交差する４方向に突出している。
【００２３】
いずれの接続金物３においても、垂直片６の先端部から突出した梁連結片４はいずれも垂直片６と平行で且つ平面視で該垂直片６と直交する方向に梁２のウェブ部２ａの肉厚分だけずらしてある。
【００２４】
梁連結片４には本固定用のナット部１４と、仮固定用のナット部１５とが設けてある。また、上下の柱固定片５にはボルト挿入孔１６が設けてある。
【００２５】
しかして、複数の柱１と複数の梁２とを接続して軸組みを構成するに当たり、例えば、図１に一例を示すように、形成しようとする軸組みが柱１を中心にして隣接する梁２が平面視Ｌ状に交差するものと、平面視Ｔ状に交差するものとで構成される場合と、図２に一例を示すように、形成しようとする軸組みが柱１を中心にして隣接する梁２が平面視Ｌ状に交差するものと、平面視Ｔ状に交差するものと、平面視十字状に交差するものとで構成される場合とがあるが、前者の場合には接続金物３として第１の接続金物３ａ、第２の接続金物３ｂを用い、後者の場合には接続金物３として第１の接続金物３ａ、第２の接続金物３ｂ、第３の接続金物３ｃを用いるものである。
【００２６】
しかして、上記の接続金物３を用いて柱１に梁２を接続して軸組みを形成するには下記のようにして行うものである。
【００２７】
すなわち、基礎に立設する下階の柱１の上端の端部プレート１１に接続金物３の下の柱固定片５をボルト１７により固定するのであるが、平面視で梁２がＬ状に交差する部分においては柱１の上端の端部プレート１１に第１の接続金物３ａを取付け、平面視で梁２がＴ状に交差する部分においては柱１の上端の端部プレート１１に第２の接続金物３ｂを取付ける。なお、平面視で梁２が十字状に交差する部分がある場合には該当する個所のは柱１の上端の端部プレート１１に第３の接続金物３ｃを取付ける。図３、図４、図５にはそれぞれ第１の接続金物３ａによって梁２をＬ状に接続する部分の分解斜視図、第２の接続金物３ｂによって梁２をＴ状に接続する部分の分解斜視図、第３の接続金物３ｃによって梁２を十字状に接続する部分の分解斜視図が示してある。
【００２８】
上記接続金物３の各梁連結片４にはあらかじめ又は接続金物３を柱１に取付け後に仮固定用のナット部１５に仮止め用のボルト７ｂを該ボルト７ｂの頭部８と梁連結片４との間に小隙間を有するように仮取付けする。ここで、使用する仮止め用のボルト７ｂと前述のだるま孔９との大きさの関係は、仮止め用のボルト７ｂの頭部８がだるま孔９の大径孔９ｂよりも小径で且つ小径孔９ａよりも大径となっており、また、仮止め用のボルト７ｂの軸部１０が小径孔９ａよりも小径となっている。
【００２９】
そして、隣接する柱１の上端間に梁２をクレーンにより吊り下げて位置させ、梁２の両端部のだるま孔９の大径孔９ｂを隣接する柱１の接続金物３の梁連結片４に設けた上記仮止め用のボルト７ｂの頭部８に通して軸部１０を大径孔９ｂに位置させ、この状態で梁２を少し下方に移動させることで、小径孔９ａに仮止め用のボルト７ｂの軸部１０を挿通すると共に頭部８をウェブ部２ａの外側に突出させてウェブ部２ａの側面を梁連結片４の側面に重ねて梁２を柱１の上端部に固着した接続金物３に仮止めする。梁２に設けた本固定用の孔１３と梁連結片４に設けた本固定用のナット部１４とが一致して位置決めがされると共に上記のように梁２が仮止めされているので、クレーンによる梁２の吊り下げを解除しても梁２は仮止め用のボルト７ｂから外れて落下することなく位置決めされた状態が維持されるものである。したがって、作業者は梁２を上記のように仮止めして位置決めした状態で本固定用の孔１３から本固定用のボルト７ａを挿入して梁連結片４に設けた本固定用のナット部１４に螺合して本固定するものであって、本固定の際に作業者が位置決め操作をする必要がなく、少人数で梁２を柱１に接続することができるものである。なお、仮止め用のボルト７ｂは本固定の際に最終的に本締めしてこの仮止め部分も本固定してもよいものである。
【００３０】
上記のようにして下階の柱１の上端部に取付けた接続金物３を介して下階の梁１を接続した後、上記接続金物３の上の端固定片５に上階の柱１の下端の端部プレート１１をボルト１７により固定する。上階の柱１の上端の端部プレート１１には更に接続金物３を取付け、上記と同様にして上階の梁２を接続するものである。
【００３１】
このようにして複数の柱１、複数の梁２、第１の接続金物３ａ、第２の接続金物３ｂ（又は第１の接続金物３ａ、第２の接続金物３ｂ、第３の接続金物３ｃ）を用いて軸組みを構成するものであり、この場合、接続金物３として第１の接続金物３ａ、第２の接続金物３ｂの２種類又は第１の接続金物３ａ、第２の接続金物３ｂ、第３の接続金物３ｃの３種類を用意するのみで多様な形態の軸組みを構成することができるものである。
【００３２】
ここで、梁連結片４が垂直片６に対して平行で且つ平面視で該垂直片６と直交する方向に梁２のウェブ部２ａの肉厚分だけずらしてあるので、上記のように梁２のウェブ部２ａの端部の側面を梁連結片４の側面に重ねてボルト７ａにより固定すると、梁２のウェブ部２ａが垂直片６の延長線上に梁２のウェブ部２ａが位置するものであり、しかも、複数の垂直片６の交差部分が柱１の中心となっているので、梁２からの荷重は垂直片６同士の交差部分から柱１の中心に流れて基礎に伝達されることになり、この結果、柱１に偏芯荷重がかからないようにできるものである。
【００３３】
なお、垂直片６の先端から柱固定片５より外方に梁連結片４を突出するに当たって、ウェブ部２ａの肉厚分だけ側方にずらして柱固定片５を突出するのであるが、図９に示すように、垂直片６の先端からウェブ部２ａの肉厚部だけずらして左右側方に梁連結片４を突出してもよい。この場合、左右の梁連結片４は図９（ｃ）のように上下方向においてずれているものである。そして、両梁連結片４ａ間に梁２のウェブ部２ａの端部を差し込んで位置決めするようになっている。図９においては梁連結片６が十字状に突出する第３の接続金物３ｃの例を示しているが、第１の接続金物３ａ、第２の接続金物３ｂにおいてもこのように垂直片６の先端からウェブ部２ａの肉厚部だけずらして左右側方に梁連結片４を突出してもよい。
【００３４】
また、図１０には本発明の更に他の実施形態を示しており、この実施形態においては複数の垂直片６が柱固定片５の中心を通る十字状の仮想線に対してそれぞれ梁２のウェブ部２ａの肉厚分だけ側方にずれて位置しており、複数の垂直片６の端部同士が固着してあり、この複数の垂直片６の端部の固着部分に囲まれた部分の中心が柱１の中心と一致するようになっている。そして、垂直片６の端部から垂直片６と面一に梁連結片４が突出しており、この梁連結片４の突出基部からＬ状の挟持片４ａが梁連結片４と対向するように突出してあり、梁連結片４と挟持片４ａとの間に梁２のウェブ部２ａの端部を差し込んで両側から挟持して位置決めするようになっている。本実施形態も梁連結片６が十字状に突出する第３の接続金物３ｃの例を示しているが、第１の接続金物３ａ、第２の接続金物３ｂにおいても同様にしてもよい。
【００３５】
なお、本発明においては梁２にはあらかじめ上面に木製の横木１９を固着してあって、床パネルや壁パネルを梁に取付ける際に梁２上面の木製の横木１９に釘打ちなどにより床パネルや壁パネルの木製のパネル枠を取付けることができるようになっている。もちろん、本発明において梁２としては木製の横木１９を設けないものであってもよい。
【００３６】
【発明の効果】
上記のように本発明の請求項１記載の発明にあっては、平面視で梁がＬ状に交差する部分においては柱の上下方向の端部に第１の接続金物を取付けると共に第１の接続金物の平面視においてＬ状に交差する２方向に突出した各梁連結片にそれぞれＬ状に交差する各梁の端部を接続し、平面視で梁がＴ状に交差する部分においては柱の上下方向の端部に第２の接続金物を取付けると共に第２の接続金物の平面視においてＴ状に交差する３方向に突出した各梁連結片にそれぞれＴ状に交差する各梁の端部を接続してあるので、共通の柱を使用し、この共通の柱の上下方向の端部に第１の接続金物、第２の接続金物を選択的に取付け、それぞれの接続金物の梁連結片に各梁の端部を接続することで、部材を共通化して種々の形態の軸組みを簡単に構成することができるものであり、これにより従来のように柱に必要以上に孔加工をしたり、柱内面に補強板を取付けたりする必要がなく、構造が簡略化できるものである。
【００３７】
また、請求項２記載の発明にあっては、平面視で梁がＬ状に交差する部分においては柱の上下方向の端部に第１の接続金物を取付けると共に第１の接続金物の平面視においてＬ状に交差する２方向に突出した各梁連結片にそれぞれＬ状に交差する各梁の端部を接続し、平面視で梁がＴ状に交差する部分においては柱の上下方向の端部に第２の接続金物を取付けると共に第２の接続金物の平面視においてＴ状に交差する３方向に突出した各梁連結片にそれぞれＴ状に交差する各梁の端部を接続し、平面視で梁が十字状に交差する部分においては柱の上下方向の端部に第３の接続金物を取付けると共に第３の接続金物の平面視において十字状に交差する４方向に突出した各梁連結片にそれぞれ十字状に交差する各梁の端部を接続してあるので、共通の柱を使用し、この共通の柱の上下方向の端部に第１の接続金物、第２の接続金物、第３の接続金物を選択的に取付け、それぞれの接続金物の梁連結片に各梁の端部を接続することで、部材を共通化して種々の形態の軸組みを簡単に構成することができるものであり、これにより従来のように柱に必要以上に孔加工をしたり、柱内面に補強板を取付けたりする必要がなく、構造が簡略化できるものである。
【００３８】
また、請求項３記載の発明にあっては、上記請求項１又は請求項２記載の発明の効果に加えて、上下に対向する水平な柱固定片間に複数の垂直片を固着して接続金物を構成し、上記複数の垂直片を隣合う垂直片同士のなす角度が直角となり且つ垂直片同士のなす交差部分が柱の中心となるような位置関係とし、該接続金物の垂直片の先端部から柱固定片より外方に梁連結片を突出し、該梁連結片を垂直片と平行で且つ平面視で該垂直片と直交する方向に梁のウェブ部の肉厚分だけずらし、梁のウェブ部の側面の長手方向端部に梁連結片を重ねて固着すると共に垂直片の延長線上に梁のウェブ部を位置させてあるので、梁のウェブ部の側面を梁連結片の側面に重ねて取付けることにより、梁のウェブ部を垂直線の延長線上に位置させて正規の位置に位置決めして簡単に取付けることができて、施工性が向上するものであり、また、梁からの荷重は垂直片同士の交差部分から柱の中心に流れて基礎に伝達されるものであり、柱に偏芯荷重がかからないようにでき、これにより、構造計算に当たって上記偏芯荷重を考慮する必要がなくて構造計算が楽になり、また、柱の肉厚もできるだけ薄くできて、コストダウンが図れるとともに柱重量が軽くなるので施工性も良くなるものである。
【００３９】
また、請求項４記載の発明にあっては、上記請求項１乃至請求項３のいずれかに記載の発明の効果に加えて、接続金物の梁連結片の側面に梁のウェブ部の側面の長手方向の端部を重ねてボルトにより接続するものであって、梁連結片に仮止め用のボルトを該ボルトの頭部と梁連結片との間に小隙間を有するように仮取付けし、梁のウェブ部の端部に小径孔と大径孔とが上下に連通するだるま孔を設け、該だるま孔の大径孔を仮止め用のボルトの頭部よりも大径とすると共に小径孔を仮止め用のボルトの頭部よりも小径で且つ仮止め用ボルトの軸部よりも大径とし、だるま孔の小径孔に仮止め用のボルトの軸部を挿通すると共に頭部をウェブ部の外側に突出させてウェブ部の側面を梁連結片の側面に重ね、仮止め用のボルトとは別の本固定用のボルトによりウェブ部と梁連結片とを固着してあるので、梁を取付けるにあたっては、梁をクレーンで吊って対向する梁連結片間に位置させ、だるま孔の大径孔から仮止め用ボルトの頭部を挿通させ、この状態で梁を少し下げて軸部を小径孔に嵌め込むと共に頭部をウェブ部の外側に突出させることで、梁を対向する梁連結片間に仮取付けできるものであり、この状態でクレーンによる吊り下げを止めても梁は所定位置に位置決めされた状態で外れず、その後、ボルトにより簡単に本固定作業ができるものであり、この結果、梁を位置決めして取付ける作業が極めて容易に行えるものである。
【図面の簡単な説明】
【図１】本発明の一実施形態の斜視図である。
【図２】同上の他の実施形態の斜視図である。
【図３】同上の梁をＬ状に接続する部分の分解斜視図である。
【図４】同上の梁をＴ状に接続する部分の分解斜視図である。
【図５】同上の梁を十字状に接続する部分の分解斜視図である。
【図６】同上に使用する第１の接続金具を示し、（ａ）は平面図であり、（ｂ）は正面図であり、（ｃ）は側面図である。
【図７】同上に使用する第２の接続金具を示し、（ａ）は平面図であり、（ｂ）は正面図であり、（ｃ）は側面図である。
【図８】同上に使用する第３の接続金具を示し、（ａ）は平面図であり、（ｂ）は正面図であり、（ｃ）は側面図である。
【図９】同上に使用する第３の接続金具の他の例を示を示し、（ａ）は平面図であり、（ｂ）は正面図であり、（ｃ）は側面図である。
【図１０】同上に使用する第３の接続金具の更に他の例を示を示し、（ａ）は平面図であり、（ｂ）は正面図であり、（ｃ）は側面図である。
【図１１】従来例を示し、（ａ）は平面図であり、（ｂ）は側面図である。
【符号の説明】
１　柱
２　梁
２ａ　ウェブ部
３　接続金物
３ａ　第１の接続金物
３ｂ　第２の接続金物
３ｃ　第３の接続金物
４　梁連結片
５　柱固定片
６　垂直片
７　ボルト
７ａ　ボルト
７ｂ　ボルト
８　頭部
９　だるま孔
９ａ　大径孔
９ｂ　小径孔
１０　軸部
【図１】
2004027591.tif 000003
【図２】
2004027591.tif 000004
【図３】
2004027591.tif 000005
【図４】
2004027591.tif 000006
【図５】
2004027591.tif 000007
【図６】
2004027591.tif 000008
【図７】
2004027591.tif 000009
【図８】
2004027591.tif 000010
【図９】
2004027591.tif 000011
【図１０】
2004027591.tif 000012
【図１１】
2004027591.tif 000013